(57)【要約】【目的】    京都議定書により、ＣＯ２ガス排出の削減が、国際的に義務付けられた。  液化ＣＯ２ガスの圧力は、常温で４９ｋｇ／ｃｍ２．比重１．５３である事から、液化の状態を海中に保てるなら、ＣＯ２ガスは海水に沈む筈である。この発想こそ本発明の重要なポイントである。  火力発電所（１）から発生するＣＯ２ガスを、ＣＯ２液化処理施設（２）で、液化処理して、その液化ＣＯ２を、液化ＣＯ２の輸送パイプ（３）で、水深４９０ｍ水圧４９気圧の境界面（６）の下方に送り、其処に位置する液化ＣＯ２放出の出口（４）から液化ＣＯ２を深海に放出する。放出された液化ＣＯ２は、周囲の水圧を受けて液状を維持し、比重が水より大であから、更に高圧の深海へと沈んでゆく。  かくして火力発電所の、地上発生のＣＯ２ガスを、大気中に廃出せずに、液化ガスの形で、深海の海底（７）に、永久に封じ込める事が出来る。【構成】火力発電所（１）と，ＣＯ２液化処理施設（２）と、液化ＣＯ２の輸送パイプ（３）と、液化ＣＯ２放出の出口（４）と、海面（５）と、海中の水深４９０ｍ水圧４９気圧の境界面（６）と、深海の海底（７）から、構成される。【選択図】図１
2008296209.tif 000002
【特許請求の範囲】
【請求項１】
発生ＣＯ２ガスを液化して、水深５５０ｍの深海に、パイプで導き放出し、液化ガスを海底に封じ込める、地上発生ＣＯ２ガスの海底処理方法。
【発明の詳細な説明】
【発明の詳細な説明】
【技術分野】
【０００１】本発明は、火力発電に於ける、ＣＯ２ガス発生の、防止に関するものである。
【背景技術】
【０００２】本発明に関する、従来技術はなく、発生ＣＯ２は、地上に排出されていた。
【発明の解決しようとする課題】
【０００３】京都議定書により、ＣＯ２ガス排出の削減が、国際的に義務付けられた。
【発明の解決するための手段】
【０００４】液化ＣＯ２ガスの圧力は、常温で５５ｋｇ／ｃｍ２．比重１．５である事から、地上発生の、ＣＯ２ガスを液化処理をして、その液化ＣＯ２ガスを、水深５５０ｍ、水圧５５気圧以上の、深海にパイプで導き、そこで放出する。
放出された液化ＣＯ２ガスは、その比重が水より大であから、更に深い所へ沈んでゆく。かくして地上発生のＣＯ２ガスを、大気中に放出する事なく、液化ガスの形で、深海の海底に、封じ込める事が出来る。
【実施例】
【０００５】火力発電所から、発生するＣＯ２ガスの、海底封じ込め。
【発明の効果】
【０００６】１、地上発生ＣＯ２ガスの、地上放出を削減をして、地球温暖代防止の効果。
２、産業上のＣＯ２ガス発生権の拡大。
【図面の簡単な説明】
【０００７】図１は、本発明の構成図である。
【符号の説明】
１、火力発電所
２、ＣＯ２液化処理施設
３、液化ＣＯ２の輸送パイプ
４、液化ＣＯ２放出の出口
５、海面
６、水深５５０ｍ、水圧５５気圧の境界面
７、深海の海底
【図１】
2008296209.tif 000003
【手続補正書】
【提出日】平成19年6月13日(2007.6.13)
【手続補正１】
【補正対象書類名】明細書
【補正対象項目名】全文
【補正方法】変更
【補正の内容】
【発明の詳細な説明】
【特許請求の範囲】
【請求項１】
発生ＣＯ２ガスを液化して、水深４９０ｍの深海に、パイプで導き放出し、液化ガスを海底に封じ込める特徴の、地上発生ＣＯ２ガスの海底処理方法
【発明の詳細な説明】
【技術分野】本発明は、火力発電に於ける、発生ＣＯ２ガスの液化処理と、ＣＯ２ガスの地上排出削減に関係する。
【背景技術】本発明に関する、従来技術はなく、単に発生ＣＯ２は、地上に排出されていた。
【発明の解決しようとする課題】
京都議定書により、ＣＯ２ガス排出の削減が、国際的に義務付けられた。
従って火力発電所の、大量のＣＯ２ガス削減が、最も効果的な課題となる。
【発明の解決するための手段】
【０００１】  液化ＣＯ２ガスの圧力は、常温で４９ｋｇ／ｃｍ２．比重１．５３である事から、液化の状態を海中に保てるなら、ＣＯ２ガスは、海水に沈む筈である。本発明はこの原理に着目して出来た。
【０００２】    火力発電所（１）から発生するＣＯ２ガスを、ＣＯ２液化処理施設（２）で、液化処理して、その液化ＣＯ２を、液化ＣＯ２の輸送パイプ（３）で、水深４９０ｍ水圧４９気圧の境界面（６）の下方に送り、其処に位置する液化ＣＯ２放出の出口（４）から液化ＣＯ２を深海に放出する。放出された液化ＣＯ２は、周囲の水圧を受けて、液状を維持したまま、比重が水より大であから、更に高圧の深海へと沈んでゆく。
【０００３】  かくして火力発電所の、大量発生のＣＯ２ガスを、大気中に廃出せずに、液化ガスの形で、深海の海底（７）に、連続的且永久的に、封じ込める事が出来る。
【実施例】
【０００４】    火力発電所で大量発生する、ＣＯ２ガスの、海底処理。
【発明の効果】
【０００５】  １、地上大量発生のＣＯ２ガスを、液化して深海に閉じ込める、排出削減効果。
２、ＣＯ２の最終処分場は、深海の海底であり、掘削や、満杯を考える必要がなく無限に永続使用可能。
３、地球温暖化防止の為、世界中の国から、有効可能手段として、期待される。
４、函館サミットの議長国として、廃出ガス防止の、有効可能手段として、世界に自信を持って提案出来る。
【図面の簡単な説明】
【０００６】    図１は、本発明の構成図である。
【符号の説明】
【０００７】    １、火力発電所
２、ＣＯ２液化処理施設
３、液化ＣＯ２の輸送パイプ
４、液化ＣＯ２放出の出口
５、海面
６、水深４９０ｍ、水圧４９気圧の境界面
７、深海の海底
【手続補正書】
【提出日】平成19年10月31日(2007.10.31)
【手続補正１】
【補正対象書類名】特許請求の範囲
【補正対象項目名】全文
【補正方法】変更
【補正の内容】
【特許請求の範囲】
【請求項１】
地上発生ＣＯ２ガスを液化処理して、水深４８０ｍ水圧４９気圧の深海に、パイプで導き放出し、液化ＣＯ２ガスを海底に閉じ込める特徴の、地上発生ＣＯ２ガスの海底処理方法。
【請求項２】
深海の液化ＣＯ２放出の出口に、パイプ浮上防止の、安全弁のある、地上発生ＣＯ２ガスの海底処理方法。
【請求項３】
地上発生ＣＯ２ガスを、圧縮機で圧縮し、５０気圧の高圧ガスのまま、水深４８０ｍ、水圧４９気圧の深海に、パイプで導き放出し、深海中で液化ＣＯ２と、Ｎ２ガスを分離する特徴の、地上発生ＣＯ２ガスの海底処理方法。
【手続補正書】
【提出日】平成20年1月4日(2008.1.4)
【手続補正１】
【補正対象書類名】明細書
【補正対象項目名】０００２
【補正方法】変更
【補正の内容】
【０００２】  火力発電所（１）から発生するＣＯ２ガスを、ＣＯ２液化処理施設（２）で、液化処理して、その液化ＣＯ２ガスを、液化ＣＯ２の輸送パイプ（３）で、水深４８０Ｍ，水圧４９気圧の境界面（６）の下方に送り、其処に位置する、液化ＣＯ２放出の出口（４）から、液化ＣＯ２ガスを深海に放出する。
液化ＣＯ２放出の出口（４）には、パイプの浮上防止の安全弁があり、液化ＣＯ２輸送パイプの内部が、液化ＣＯ２で、満たされないと、弁が開かない仕組みになっている。
放出された液化ＣＯ２ガスは、周囲の水圧を受けて、液状を維持したまま、比重が水より大であるから、更に高圧の深海へと沈んでゆく。
尚上記の方法の他に、ＣＯ２液化処理施設（２）で、ＣＯ２ガスを液化処理しないで、圧縮した５０気圧の高温高圧ガスのまま、液化ＣＯ２の輸送パイプ（３）で、水深４８０Ｍ、水圧４９気圧の境界面（６）の下方に送り、液化ＣＯ２放出の出口（４）から、高圧ＣＯ２ガスのまま深海に放出する。高圧ＣＯ２ガスには、大量のＮ２ガスが含まれ、それが気泡となり、液化ＣＯ２と分離して海面に上昇する。一方のＣＯ２ガスは、液化ＣＯ２の輸送パイプ（３）の内部を流れる間、放熱と液化を続け、液化ＣＯ２放出の出口（４）から、高圧のＮ２ガスと共に放出される。ＣＯ２の液化しなかった分も、海中で液化され、沈下する。尚、液化ＣＯ２放出の出口（４）に、パイプの浮上防止の為、重量物で固定する必要がある。
この方法が成功すれば、ＣＯ２液化処理施設（２）の内部に、ＣＯ２液化の冷却設備とＮ２ガス分離設備を、持つ必要が無くなり、建設費の節約にも繋がる利点ガある。
【手続補正２】
【補正対象書類名】明細書
【補正対象項目名】０００５
【補正方法】変更
【補正の内容】
【０００５】
【発明の効果】
１、本発明の実効性について、その筋の企業関係者から、太鼓判が押されている。
２、地上発生のＣＯ２ガスを、産業廃棄物として、連続的に液化処理して、海底に流し込みが可能で、そして大気には排出させない、画期的な方法である。
３、迫り来る、地球温暖化の脅威に、確実に歯止めの掛られる、唯一の方法である。但し、それには各国の協力実施が、絶対に不可欠である。
４、京都議定書の、受入れが容易になり、消極的な国々の協力も得られる。
５、地球温暖化防止の、決め手として、世界中からも、期待と協力が得られる。
６、電力会社の実施で、排出枠が拡大し、火力発電量を、更に増やす事が出来る。
８、本発明で、ＣＯ２液化処理施設の建設等、新たな産業、ビジネスが発生する。
９、地球温暖化防止に、必要とされる、自動車動力の、ガソリンから、電力への変更にも、対応出来る。
【手続補正書】
【提出日】平成20年8月6日(2008.8.6)
【手続補正１】
【補正対象書類名】明細書
【補正対象項目名】特許請求の範囲
【補正方法】変更
【補正の内容】
【請求項１】
地上発生ＣＯ２ガスを液化処理して、水深４８０ｍ水圧４９気圧の深海に、パイプで導き放出し、液化ＣＯ２ガスを海底に閉じ込める特徴の、地上発生ＣＯ２ガスの海底処理方法。
【請求項２】
液化ＣＯ２の比重が、１．５３で有り、液化の状態でＣＯ２ガスが、海水に沈む事を利用した、地上発生ＣＯ２ガスの海底処理方法。